(57)【要約】【課題】  スクワット運動の補助を行いながら、同時に猫背の矯正をも行うことができるようにする。【解決手段】  基板２の下面に複数のキャスター３等の車輪類が取り付けられた台車部４と、基板２上に設けられ、背骨等の矯正を行う矯正用部材５Ａとを備えており、矯正用部材５Ａは、上面の幅中央部分に背骨収容用凹部６が形成され、且つ上面の全体または一部には一または複数の凸弧状部が形成されており、この形成形態が異なる他の矯正用部材５Ｂ・５Ｃと交換可能ともなされている。【選択図】  図１
2013184028.tif 000002
【特許請求の範囲】
【請求項１】
基板の下面に複数の車輪類が取り付けられた台車部と、基板上に設けられ、背骨等の矯正を行う矯正用部材とを備えており、矯正用部材は、上面の幅中央部分に背骨収容用凹部が形成され、且つ上面の全体または一部には一または複数の凸弧状部が形成された、矯正運動補助具。
【請求項２】
上面の凸弧状部の形成形態が互いに異なる複数の矯正用部材を備え、これら矯正用部材が台車部に着脱自在に取り付けられるようになされている、請求項１記載の矯正運動補助具。
【請求項３】
中央部分が最も高く形成されて、上面全体が凸弧状となされた矯正用部材と、上面の前後部分にそれぞれ凸弧状部が形成され、これらの中間部分が凹弧状部となされた矯正用部材と、上面の一側部分が凸弧状部となされ、他側部分が一側部分から他側端へ下る傾斜状部となされた矯正用部材とを有する、請求項２記載の矯正運動補助具。
【請求項４】
車輪類がキャスターである、請求項１〜請求項３のうちのいずれか一項記載の矯正運動補助具。
【発明の詳細な説明】
【技術分野】
【０００１】
本発明は、背骨の矯正と脚のトレーニングの補助を行う矯正運動補助具に関する。
【背景技術】
【０００２】
高齢者は、常態で背骨が後方に湾曲した所謂、猫背の人が多く、猫背は肩こりや腰痛等の原因にもなることから、これを矯正する必要がある。そのため、従来から猫背を矯正するためのクッションやベルト等が知られている。
【０００３】
また、高齢者は脚の筋力が急速に低下する傾向があることから、脚の強化運動の基本であるスクワットを行うのが好ましい。自重によるシットアップスクワットは、立った状態から上半身を垂直に伸ばしたまま膝が爪先から前に出ないようにして該膝を曲げる屈伸運動であり、大腿部の表、裏、臀部といった下肢全体を均等に鍛えるレジスタンス運動の一種であり、またバランス感覚もやしなわれることから、アスリートは勿論、近年は前述した高齢者のリハビリテーションにも取り入れられている。
【先行技術文献】
【特許文献】
【０００４】
【特許文献１】特開２００３−３８５３６号公報
【特許文献２】登録実用新案第３０３６５７８号公報
【発明の概要】
【発明が解決しようとする課題】
【０００５】
自重によるシットアップスクワットは、より詳細には、膝の屈曲度合いによって、完全に曲げるフルからハーフ、クウォータまで通常、三種類あるが、高齢者は、前述したように、猫背の人が多いことから、いずれのスクワットを行った場合でも、後方に転倒する危険がある。
【０００６】
また、前述した従来の猫背矯正用のクッションやベルト等は、猫背の矯正だけを行うものであり、脚の筋力強化には何ら寄与しないものであった。
【０００７】
本発明の目的は、スクワット運動の補助を行いながら、同時に猫背の矯正をも行うことができる複合的な矯正運動補助具を提供することにある。
【課題を解決するための手段】
【０００８】
請求項１記載の本発明は、基板の下面に複数の車輪類が取り付けられた台車部と、基板上に設けられ、背骨等の矯正を行う矯正用部材とを備えており、矯正用部材は、上面の幅中央部分に背骨収容用凹部が形成され、且つ上面の全体または一部には一または複数の凸弧状部が形成された矯正運動補助具である。
【０００９】
請求項２記載の本発明は、前記請求項１記載の矯正運動補助具について、上面の凸弧状部の形成形態が互いに異なる複数の矯正用部材を備え、これら矯正用部材が台車部に着脱自在に取り付けられるようになされていることを特徴とするものである。
【００１０】
請求項３記載の本発明は、前記請求項２記載の矯正運動補助具について、中央部分が最も高く形成されて、上面全体が凸弧状となされた矯正用部材と、上面の前後部分にそれぞれ凸弧状部が形成され、これらの中間部分が凹弧状部となされた矯正用部材と、上面の一側部分が凸弧状部となされ、他側部分が一側部分から他側端へ下る傾斜状部となされた矯正用部材とを有することを特徴とするものである。
【００１１】
請求項４記載の本発明は、前記請求項１〜請求項３のうちのいずれか一項記載の矯正運動補助具について、車輪類がキャスターであることを特徴とするものである。
【発明の効果】
【００１２】
請求項１記載の本発明によれば、当該矯正運動補助具の車輪類を建物等の壁に当接させると共に矯正用部材を使用者の背中に当接させて、当該矯正運動補助具が建物の壁と使用者の間に挟まれた状態とし、この状態で使用者が当該矯正運動補助具を壁に押し付けつつ、膝を曲げるだけで、使用者は壁にもたれかかった状態でスクワットを行うこととなり、そのため、使用者がスクワット時に後方に転倒するおそれが全くなく、しかも使用者の背骨が矯正用部材の背骨収容用凹部に入った状態で凸弧状部によって矯正される。
【００１３】
請求項２および請求項３記載の本発明によれば、上面の凸弧状部の形成形態が互いに異なる複数の矯正用部材を適宜交換して台車部に取り付けることで、使用者の背骨の曲がり具合に応じた矯正が行え、また請求項３記載の本発明では、異なる三つの矯正用部材を一通り使用することで背筋から腰にかけての一連の矯正が可能になるという利点がある。
【図面の簡単な説明】
【００１４】
【図１】本発明の実施形態に係る矯正運動補助具の斜視図である。
【図２】同実施形態に係る矯正運動補助具の側面図である。
【図３】同矯正運動補助具における台車部と矯正用部材との着脱手段の一例を示す部分断面図である。
【図４】台車部と矯正用部材との着脱手段の他の一例を示す部分断面図である。
【図５】矯正運動補助具の使用状態を示す側面図である。
【発明を実施するための形態】
【００１５】
次に、本発明の実施形態を図面にしたがって説明するが、本発明はかかる実施形態に限定されるものではない。
【００１６】
図１および図２に示すように、本実施形態に係る矯正運動補助具１は、平面から見て略楕円形の基板２の下面に、その前後左右で合計４つのキャスター３が取り付けられた台車部４と、台車部４の基板２上に取り外し自在に設けられた背骨等の矯正を行う矯正用部材５Ａとで構成されている。
【００１７】
矯正用部材５Ａは、適度の柔軟性を有するものであって、合成皮革製の外皮と外皮によって覆われる発泡樹脂製クッション材とで構成され、上面の幅中央部分には前後方向に伸びる背骨収容用凹部６が形成されている。また矯正用部材５Ａは、側方から見て中央部分が最も高くなった上面全体が凸弧状となされている。
【００１８】
図２に示すように、本実施形態では、前記矯正用部材５Ａは、後述するような着脱手段によって、形状が異なる他の矯正用部材５Ｂ・５Ｃに交換可能となされている。矯正用部材５Ｂは側方から見て、前後部分にそれぞれ凸弧状部７・８が形成され、これらの中間部分が凹弧状部９となされたものである。矯正用部材５Ｃは、前半側部分が凸弧状部１１となされ、後半側部分が前半側部分から後方に下る傾斜状部１２となされている。また、図２において、各矯正用部材５Ａ・５Ｂ・５Ｃの上面寄り部分に破線で示された箇所は、それぞれ背骨収容用凹部６・２６・３６を示す。そして、これら矯正用部材５Ａ・５Ｂ・５Ｃを一通り使用することで、使用者の背中から腰にかけて矯正が行われ、その結果、適正な姿勢への回復が助長される。
【００１９】
図３に示すように、台車部４と矯正用部材５Ａ等との着脱手段としては、例えば台車部４の基板２の上面に雄ネジ２ａを突設する一方、矯正用部材５Ａ等の下面に前記雄ネジ２ａと嵌合する雌ねじ１０を形成した構造が挙げられる。
【００２０】
図４に示すように、台車部４と矯正用部材５Ａ等との他の着脱手段としては、例えば矯正用部材５Ａ等の下面に凹所１３を形成し、凹所１３の側壁１３ａに内向き係合爪１３ｂを形成する一方、台車部４の基板２上には、先端に前記矯正用部材５Ａ等の内向き係合爪１３ｂと係合する外向き係合爪１４ａを有する起立壁１４を立設すると共に、起立壁１４の内面上部に、基板２に形成された透孔１５を通って下方に突出する前後一対の直角状操作片１６を一体に連成して該直角状操作片１６同士を互いに接近させることで、前記内向き係合爪１３ｂと外向き係合爪１４ａとの係合が解除されるような構造が挙げられる。
【００２１】
次に、図５に示すように、本実施形態に係る矯正運動補助具１の使用要領について説明すると、使用者Ｍは背中と壁Ｗとの間に本実施形態に係る矯正運動具１を挟んで壁Ｗにもたれかかるようにして膝を曲げ、上下方向に屈伸運動を行うことで、スクワットをしながら、且つ使用者Ｍの背中に矯正用部材が当たることで背骨等の矯正が行える。
【００２２】
また前記屈伸運動において、矯正用部材５Ａ・５Ｂ・５Ｃを適宜交換することで、前述した通り、背中から腰にかけての矯正が順次行える。
【００２３】
なお、前述した実施形態では、台車部４に対して複数の異なる形状の矯正用部材５Ａ・５Ｂ・５Ｃを着脱自在に取り付ける構成としたが、本発明はこれに限定されず、台車部４に対して一つの矯正用部材５Ａ・５Ｂ・５Ｃを適宜に専用のものとして一体に固定するようにしても良い。
【００２４】
また、本実施形態では、前後左右で合計４つのキャスターを使用したが、本発明はこれに限定されず、キャスターに代えてローラーや種々の車輪を使用することもある。
【産業上の利用可能性】
【００２５】
本発明の矯正運動補助具によれば、簡単且つ安全に、変形した背骨等の矯正と脚の筋肉の強化が同時に行えるため、病院や整骨院、更には一般家庭やジム等のスポーツ施設で幅広い利用が期待できる。
【符号の説明】
【００２６】
１  矯正運動補助具
２  基板
３  キャスター
４  台車部
５Ａ〜５Ｃ  矯正用部材
６  背骨収容用凹部
７・８  凸弧状部
【図１】
2013184028.tif 000003
【図２】
2013184028.tif 000004
【図３】
2013184028.tif 000005
【図４】
2013184028.tif 000006
【図５】
2013184028.tif 000007